(57)【要約】【課題】トレー体に載置された料理物に蒸気が満遍なく行き渡り、スピーディーに極めて良好な状態まで蒸し上げることができると共に、内圧が上がると自然にしかもスムースに蒸気が排出され且つ極めて吹きこぼれにくい構成で、しかも、トレー体の載置もスムースにでき、載置安定性にも秀れ、コスト安な蒸気調理鍋を提供すること。【解決手段】鍋本体１の上部開口部の内周面全周に上下二段の段差部４を設け、この段差部４上にトレー体載置用突起部７とトレー体位置止め用突起部12と鍋蓋体載置用突起部８とを直線状に一体連設形成することにより段差部４の上段部６の上面から下段部５の上面に至る位置まで延設する形状とした連設突起部10を設け、この連設突起部10を段差部４の周方向に所定間隔を置いて複数設けることを特徴とした蒸気調理鍋。【選択図】図２
2009254692.tif 000002
【特許請求の範囲】
【請求項１】
鍋本体と、この鍋本体内に収納配設するトレー体と、前記鍋本体の上部開口部を閉塞する鍋蓋体とから成る蒸気調理鍋であって、前記鍋本体の上部開口部の内周面全周に上下二段の段差部を設け、この段差部の下段部の上面に、この下段部の周方向に所定間隔を置いて複数のトレー体載置用突起部を突設して、この複数のトレー体載置用突起部に前記トレー体の上部周縁部を載置することにより前記鍋本体内にトレー体を収納配設すると共に、この載置箇所を除いた位置では上部周縁部と下段部の上面との間に鍋本体内と連通するトレー体浮上間隙が形成されるように構成し、この段差部の下段部と上段部間に位置する段差間周壁に、この段差間周壁の周方向に所定間隔を置いて複数のトレー体位置止め用突起部を突設すると共に、前記トレー体の上部周縁部の外径寸法を前記段差間周壁の内径寸法より径小に設定して、前記複数のトレー体載置用突起部にトレー体の上部周縁部を載置することにより前記複数のトレー体位置止め用突起部によって上部周縁部が位置止めされてこの位置止め箇所を除いた位置では上部周縁部と段差間周壁との間に前記トレー体浮上間隙と連設する蒸気流通間隙が形成されるように構成し、この蒸気流通間隙を通って前記鍋本体内の蒸気がトレー体の略全周から前記鍋蓋体の裏面側へと流出してトレー体内へ流入するように構成し、前記段差部の上段部の上面に、この上段部の周方向に所定間隔を置いて複数の鍋蓋体載置用突起部を突設して、この複数の鍋蓋体載置用突起部に前記鍋蓋体の周縁部を載置することにより前記鍋本体の上部開口部を鍋蓋体が閉塞すると共に、この載置箇所を除いた位置ではこの鍋蓋体の周縁部と上段部の上面との間に前記蒸気流通用間隙と連通する鍋蓋体浮上間隙が形成されるように構成し、前記鍋蓋体の外径寸法を前記上段部の上方に位置する前記鍋本体の上部開口部の内径寸法より径小に設定して、前記複数の鍋蓋体載置用突起部に鍋蓋体の周縁部を載置することによりこの鍋蓋体の周縁部と鍋本体の上部開口部との間に前記鍋蓋体浮上間隙と連通する蒸気排出用間隙が形成されるように構成し、前記各トレー体載置用突起部と前記各トレー体位置止め用突起部と前記各鍋蓋体載置用突起部とはそれぞれ直線状に一体連設形成して、前記上段部の上面から前記下段部の上面に至る位置まで延設する形状の連設突起部として設けたことを特徴とする蒸気調理鍋。
【発明の詳細な説明】
【技術分野】
【０００１】
本発明は、蒸気調理鍋に関するものである。
【背景技術】
【０００２】
従来の蒸気調理鍋としては、例えば、特許第３０６９５３０号（特許文献１）がある。
【０００３】
この特許文献１を簡単に説明すると、上部開口周縁部の内周面に段差部を設けた鍋本体と、この鍋本体内の段差部に着脱自在に載置係止するリング体と、載置箇所を除いた位置では浮上状態となるように前記リング上に上部周縁部を載置係止して前記鍋本体内に収納配設するトレー体と、鍋本体の上部開口部を閉塞架設する鍋蓋体とから成り、前記リング体に対する前記トレー体の上部周縁部の載置係止構造を、リング体上面に所定間隔を置いて支承突起部を設けるか若しくは上部周縁部下面に所定間隔を置いて支承突起部を設け、この支承突起部を介してリング体上に上部周縁部を載置係止することにより上部周縁部がリング体上に面接係止することなく浮上状態で載置係止され、このトレー体の上部周縁部とリング体との間に鍋本体内と連通する浮上間隙が形成されるように構成し、トレー体の略全周からこの浮上間隙を通って鍋本体内の蒸気が鍋蓋体の裏面側へと流出するように構成したものである。また、リング体は板状に構成し、この板状のリング体を段差部を介して内周部が外周部よりも低く位置するように構成している。即ち、リング体が上下の段部を有し、トレー体の上部周縁部の下方にも全周に渡り段差を有するように構成している。
【０００４】
この構成は、蒸気がトレー体の料理物載置部に満遍なく当たり、料理物を非常に効率良くムラ無く良好に仕上げることが可能である。
【０００５】
しかしながら、この特許文献１では、鍋本体、トレー体、鍋蓋体の他に、リング体を設けるため材料費が掛かる他、別途設けたリング体上に複数の支承突起部を設ける構成であり製作上の手間も掛かりコスト高となる。
【０００６】
そこで、出願人は、特許文献１に比して製作上のコストが掛からず、極めて容易に製造できる特許第３０８４２６０号（特許文献２）を提案している。
【０００７】
この特許文献２を簡単に説明すると、上部開口周縁部の内周面に段差部を設け、この段差部より下方の内周面に係止部を設けた鍋本体と、この鍋本体内周面とに間隙を介するように前記係止部に上部周縁部を係止して前記鍋本体内に収納配設するトレー体と、前記段差部に着脱自在に載置係止して鍋本体の上部開口部を閉塞架設する鍋蓋体とから成る蒸気料理鍋であって、前記鍋本体の係止部に対する前記トレー体の係止構造を、前記段差部より下方の鍋本体内周面に所定間隔をおいて内側へ突出する複数の係止突起部を設けて前記係止部を構成し、この複数の係止突起部上にトレー体の上部周縁部を載置係止することによりこの載置箇所を除いた上部周縁部位置ではトレー体の上部周縁部と鍋本体の内周面との間に鍋本体内と連通する前記間隙が形成されるように構成し、このトレー体の略全周からこの隙間を通って鍋本体内の蒸気が鍋蓋体の裏面側へと流出してトレー体内へ流出するように構成し、前記段差部に所定間隔を置いて前記鍋蓋体の周縁が当接し得る支承突起部を設け、この支承突起部に鍋蓋体の周縁を載置すると鍋蓋体の周縁と前記段差部との間に鍋本体内と連通する浮上間隙が形成されて、載置係止箇所を除いた位置では鍋蓋体の周縁部が浮上状態となるように構成したものである。
【０００８】
即ち、鍋本体に支承突起部を設け、単にプレス加工で鍋本体の外周面の所定位置をプレスするだけで鍋蓋体載置用の突起部とトレー体載置用の突起部とを設けることができるので、特許文献１に比し、製作上の手間が掛からず、部品点数も少ないので極めて容易に且つ製作コスト安に構成できることとなる。
【０００９】
【特許文献１】特許第３０６９５３０号公報
【特許文献２】特許第３０８４２６０号公報
【発明の開示】
【発明が解決しようとする課題】
【００１０】
しかしながら、前記特許文献２では、支承突起部を除く場所では、鍋本体の底部で熱せられって上昇する蒸気がトレー体の上部周縁部を回り込むことなく直接鍋蓋体の裏面（下面）に当たることとなり、鍋蓋体の裏面に当たった蒸気はその裏面に沿って鍋蓋体の中央へと流動した後、中央部で下降してトレー体内の料理物載置部に流入するので、蒸気がトレー体の上部周縁部を回り込むタイプの前記特許文献１に比し料理物載置部の中央部と周縁部との蒸し上がり速度に多少のずれが生じていた。また、鍋蓋体に誘導されて鍋蓋体の中央に誘導される多くの蒸気は、外気と常に接している鍋蓋体に冷やされながら鍋蓋体の中央へと上昇するので、熱を最も効率良い状態で利用しているとはいえなかった。
【００１１】
また、前記特許文献２は、鍋本体内の内圧が上がり、蒸気が鍋本体外部へと排出される際には、一部の蒸気は、鍋本体の内周面とトレー体の上部周縁部との間の間隙を通りぬけて、直接鍋蓋体の内壁へ当たり、鍋蓋体の周縁部に向かい方向を変え、鍋本体の上部開口部の内周壁に当たり鍋本体の外部へと排出されることとなるが、トレー体の上部周縁部の下方にも全周に渡って段差を有する前記特許文献１に比し、蒸気が勢い良く排出されることとなり吹きこぼれの原因となることがあった。
【００１２】
また、前記特許文献２では、トレー体の上部周縁部をこの上部周縁部を係止するための係止突起部に係止する際、特許文献２における実施例のようにこの係止突起部の数が少ないと、前記係止突起部にトレー体の上部周縁部を上手く載置できずトレー体が傾くことがあり、トレー体の載置時には慎重且つ正確に載置する必要があると共に、載置安定性にも改良の余地があった。また、係止突起部の数を増やすと、トレー体の上部周縁部がこの係止突起部の下方に嵌り込んだ場合には、この上部周縁部を真上に持ち上げようとしても突起が障害となるため一度引き出してから載置し直す必要があり、載置に手間取ることとなる。また製作上のコストも上がることとなる。
【００１３】
本発明は、このような従来の蒸気調理鍋の問題点に鑑み、リング体を用いない構成によって特許文献１に比しコスト安となる蒸気調理鍋であって、トレー体に載置された料理物に蒸気が満遍なく行き渡り、スピーディーに極めて良好な状態まで蒸し上げることができ、内圧が上がると自然にしかもスムースに蒸気が排出されつつ極めて吹きこぼれにくくなり、トレー体の載置もスムースにでき、載置安定性にも秀れた蒸気調理鍋を提供することを目的とする。
【課題を解決するための手段】
【００１４】
添付図面を参照して本発明の要旨を説明する。
【００１５】
鍋本体１と、この鍋本体１内に収納配設するトレー体２と、前記鍋本体１の上部開口部を閉塞する鍋蓋体３とから成る蒸気調理鍋であって、前記鍋本体１の上部開口部の内周面全周に上下二段の段差部４を設け、この段差部４の下段部５の上面に、この下段部５の周方向に所定間隔を置いて複数のトレー体載置用突起部７を突設して、この複数のトレー体載置用突起部７に前記トレー体２の上部周縁部９を載置することにより前記鍋本体１内にトレー体２を収納配設すると共に、この載置箇所を除いた位置では上部周縁部９と下段部５の上面との間に鍋本体１内と連通するトレー体浮上間隙13が形成されるように構成し、この段差部４の下段部５と上段部６間に位置する段差間周壁11に、この段差間周壁11の周方向に所定間隔を置いて複数のトレー体位置止め用突起部12を突設すると共に、前記トレー体２の上部周縁部９の外径寸法を前記段差間周壁11の内径寸法より径小に設定して、前記複数のトレー体載置用突起部７にトレー体２の上部周縁部９を載置することにより前記複数のトレー体位置止め用突起部12によって上部周縁部９が位置止めされてこの位置止め箇所を除いた位置では上部周縁部９と段差間周壁11との間に前記トレー体浮上間隙13と連設する蒸気流通間隙14が形成されるように構成し、この蒸気流通間隙14を通って前記鍋本体１内の蒸気がトレー体２の略全周から前記鍋蓋体３の裏面側へと流出してトレー体２内へ流入するように構成し、前記段差部４の上段部６の上面に、この上段部６の周方向に所定間隔を置いて複数の鍋蓋体載置用突起部８を突設して、この複数の鍋蓋体載置用突起部８に前記鍋蓋体３の周縁部を載置することにより前記鍋本体１の上部開口部を鍋蓋体３が閉塞すると共に、この載置箇所を除いた位置ではこの鍋蓋体３の周縁部と上段部６の上面との間に前記蒸気流通用間隙14と連通する鍋蓋体浮上間隙15が形成されるように構成し、前記鍋蓋体３の外径寸法を前記上段部６の上方に位置する前記鍋本体１の上部開口部の内径寸法より径小に設定して、前記複数の鍋蓋体載置用突起部８に鍋蓋体３の周縁部を載置することによりこの鍋蓋体３の周縁部と鍋本体１の上部開口部との間に前記鍋蓋体浮上間隙15と連通する蒸気排出用間隙16が形成されるように構成し、前記各トレー体載置用突起部７と前記各トレー体位置止め用突起部12と前記各鍋蓋体載置用突起部８とはそれぞれ直線状に一体連設形成して、前記上段部６の上面から前記下段部５の上面に至る位置まで延設する形状の連設突起部10として設けたことを特徴とする蒸気調理鍋に係るものである。
【発明の効果】
【００１６】
本発明は上述のような構成としたから、リング体を用いない構成によって特許文献１に比しコスト安となる蒸気調理鍋であって、トレー体に載置された料理物に蒸気が満遍なく行き渡り、スピーディーに極めて良好な状態まで蒸し上げることができ、内圧が上がると自然にしかもスムースに蒸気が排出されつつ極めて吹きこぼれにくくなり、トレー体の載置もスムースにでき、載置安定性にも秀れた蒸気調理鍋を提供できることとなる。
【発明を実施するための最良の形態】
【００１７】
好適と考える本発明の実施形態（発明をどのように実施するか）を、図面に基づいて本発明の作用を示して簡単に説明する。
【００１８】
例えば、鍋本体１内に所定量の水を入れ、トレー体２の調理物を載置する料理物載置部17に料理物を載置し、このトレー体２の上部周縁部９を下段部５の上面に突設したトレー体載置用突起部７に載置し、鍋蓋体３の周縁部を上段部６の上面に突設した鍋蓋体載置用突起部８に載置して熱すると、この鍋本体１内で発生する蒸気は、トレー体２の上部周縁部９と下段部５上面との間のトレー体浮上間隙13を通り、トレー体位置止め用突起部12がトレー体２の上部周縁部９を位置止めすることで設けられ段差間周壁11とトレー体２の上部周縁部９との間に位置する蒸気流通間隙14から噴出してトレー体の料理物載置部17へ流入することとなる。この際、蒸気は、トレー体２の上部周縁部９の略全周（トレー体載置用突起部７とトレー体位置止め用突起部12とを除く位置）に設けられたトレー体浮上間隙13と蒸気流通間隙14とから噴出されるので、蒸気はトレー体２の上部周縁部９の略全周から噴出されることとなり、よって、料理物載置部17の周方向に満遍なく熱が伝わり、料理物載置部の中心から等距離においた右の料理物にも左の料理物にも満遍なく蒸気が噴き付けられて良好に蒸上がることとなる。
【００１９】
また、この際蒸気は、トレー体２の上部周縁部９の下面と下段部５の上面の間のトレー体浮上間隙13を例えば外方へ向って通過した後、段差間周壁11に当たって流動方向を内向きに変えながらこの段差間周壁11と上部周縁部９との間の蒸気流通間隙14を上昇し通過することとなるから、この蒸気流通間隙14通過時の蒸気は鍋本体１内方へ回り込むように流動することとなり、また、蒸気がトレー体浮上間隙13に入り込む角度によってこの回り込む角度が異なってくるため、トレー体２の料理物載置部17の中心部から外周にかけての何れの場所へ載置した料理へも蒸気が下降することになり、料理物載置部17の中心部においた料理物にも外周部においた料理物にも満遍なく蒸気が噴き付けられて良好に蒸し上がることとなる。
【００２０】
即ち、本発明は料理物載置部17の中心から等距離にある何れの位置においても良好に蒸気が当たり、また、料理物載置部17の中心部から外周部にかけての何れの位置においても良好に蒸気が当たる構成となるから、料理物載置部17の全ての場所において料理物を良好に蒸上げることができることとなる。
【００２１】
また、熱された蒸気の多くが鍋蓋体３の裏面に沿って流動する前記特許文献２のような場合と異なり熱損失が生じにくいので、確実に高温の蒸気が料理物に作用して熱効率良くスピーディーに蒸しあがることとなる。
【００２２】
また、加熱により蒸気圧が必要以上に上昇すると、蒸気は上段部６と鍋蓋体３の周縁との間の鍋蓋体浮上間隙15から自然に鍋本体１外へ排出されることとなり、吹きこぼれを防止することができることとなる。
【００２３】
また、段差部４に直線状に一体連設形成して連設突起部10としたトレー体載置用突起部７、鍋蓋体載置用突起部８及びトレー体位置止め用突起部12は、連設するトレー体浮上間隙13、蒸気流通間隙14．鍋蓋体浮上間隙15、蒸気排出用間隙16に対して全て同じ位置に配設するので、この直線状の連設突起部10位置以外のトレー体浮上間隙13、蒸気流通間隙14、鍋蓋体浮上間隙15、蒸気排出用間隙16は途中に突起部を有することの無い連通した間隙となり、従って蒸気上昇時に気流の乱れが生じにくく、トレー体浮上間隙13、蒸気流通間隙14を通ってトレー体２内にスムースに蒸気が流入することになると共に、鍋本体１の内圧が必要以上に上がった場合には、鍋本体１の蒸気がスムースに排出されるため、極めて吹きこぼれづらい構成となる。
【００２４】
更に、本発明では、蒸気圧が上がって鍋本体１外へと排出される際に、鍋本体１の底部から上昇した蒸気はトレー体２に当たり、トレー体２の上部周縁部９と下段部５との間のトレー体浮上間隙13を抜け、蒸気流通間隙14を通り段差間周壁11に当たって、上方へ方向を変え、次いで、鍋蓋体３の裏面に当たり、鍋蓋体浮上間隙15を抜け、蒸気排出用間隙16を通り鍋本体１の上部開口部の内周面に当たるため、その都度蒸気の噴出する勢いは弱まることとなり、従って、段部を一段しか設けていない上に特許文献１，２に比して、より安全な蒸気調理鍋となる。
【００２５】
また、本発明は、トレー体載置用突起部７の下に段部を有さない構成の文献２とは異なり、例えば文献２と同じトレー体２を用いた場合、トレー体２のトレー体載置用突起部７の下方に全周方向に渡って設けられた下段部５の幅と等しい幅だけ鍋本体１の内周面がトレー体２の外周面に近づき、トレー体２の外周面と鍋本体１の内周面との距離が狭まる構成となるので、トレー体２と鍋本体１の内周面との遊びが減ることとなり、蒸気調理鍋を調理後に鍋本体１ごとコンロから下ろす際や、調理中にコンロを換えるなどの理由により鍋を動かす際に、たとえトレー体２がトレー体載置用突起部7から浮き上がり上部周縁部９がトレー体係止用突起部12より上方に移動することで左右に振り動かされたとしても、鍋本体１の内周面がトレー体２を支えることとなり、トレー体２が載置位置からズレにくく高い載置安定性が得られることとなる。
【００２６】
また、下段部５の上面にトレー体載置用突起部７を設けたことで、蒸気で満たされた鍋本体１内にトレー体２を載置する際にも、この下段部５をトレー体２の載置位置の目印とし易く、載置が容易になる。
【００２７】
従って、茶碗蒸やプリンのような液体状の料理や、大皿に既に見栄え良く盛り合わせた状態で蒸し器に入れる料理を作る際にも、調理の際に液体がこぼれたり、料理が偏ったりしにくく、実用的である。
【００２８】
また、トレー体載置用突起部７と、トレー体位置止め用突起部12と、鍋蓋体載置用突起部８とを連設突起部10として一体連設形成としたので、夫々の突起部が散在している構成より、比較的洗浄しやすく衛生的に維持できることとなる。
【００２９】
更に、前記各トレー体載置用突起部7と前記各トレー体係止用突起部12と前記各鍋蓋体載置用突起部８とを構成する直線状の連設突起部10は、例えば、鍋本体１の段差部４の外周面を内方へ向けてプレス加工することにより同時に且つ一体に設けることが可能であり、簡易な方法で実現できるから、量産性が高くなり、コスト安に生産できることとなる。また、特許文献１のようにリング体などの付属品も必要としないから、材料費や製造コストを削減できるので、蒸気調理鍋を一層安価に生産できることとなる。
【実施例】
【００３０】
本発明の具体的な実施例について図面に基づいて説明する。
【００３１】
本実施例は、図１に示すように、鍋本体１と、この鍋本体１内に収納配設するトレー体２と、前記鍋本体１の上部開口部を閉塞する鍋蓋体３とから成る蒸気調理鍋である。
【００３２】
鍋本体１は、図１〜５に示すように、前記鍋本体１の上部開口部の内周面全周に上下二段の段差部４を設けている。
【００３３】
この下段部５と上段部６とは、各段部の外周から内周に向かって、曲面で構成された下り傾斜となっている。
【００３４】
また、この段差部４の下段部５の上面に、この下段部５の周方向に所定間隔を置いて複数のトレー体載置用突起部７を突設して、この複数のトレー体載置用突起部７に前記トレー体２の上部周縁部９を載置することにより前記鍋本体１内にトレー体２を収納配設すると共に、この載置箇所を除いた位置では上部周縁部９と下段部５の上面との間に鍋本体１内と連通するトレー体浮上間隙13が形成されるように構成することとする。
【００３５】
また、この段差部４の下段部５と上段部６間に位置する段差間周壁11に、この段差間周壁11の周方向に所定間隔を置いて複数のトレー体位置止め用突起部12を突設すると共に、前記トレー体２の上部周縁部９の外径寸法を前記段差間周壁11の内径寸法より径小に設定して、前記複数のトレー体載置用突起部７にトレー体２の上部周縁部９を載置することにより前記複数のトレー体位置止め用突起部12によって上部周縁部９が位置止めされてこの位置止め箇所を除いた位置では上部周縁部９と段差間周壁11との間に前記トレー体浮上間隙13と連設する蒸気流通間隙14が形成されるように構成して、この蒸気流通間隙14を通って前記鍋本体１内の蒸気がトレー体２の略全周から前記鍋蓋体３の裏面側へと流出してトレー体２内へ流入する構成とする。
【００３６】
また、前記段差部４の上段部６の上面に、この上段部６の周方向に所定間隔を置いて複数の鍋蓋体載置用突起部８を突設して、この複数の鍋蓋体載置用突起部８に前記鍋蓋体３の周縁部を載置することにより前記鍋本体１の上部開口部を鍋蓋体３が閉塞すると共に、この載置箇所を除いた位置ではこの鍋蓋体３の周縁部と上段部６の上面との間に前記蒸気流通用間隙14と連通する鍋蓋体浮上間隙15が形成されるように構成することとする。
【００３７】
また、前記鍋蓋体３の外径寸法を前記上段部６の上方に位置する前記鍋本体１の上部開口部の内径寸法より径小に設定して、前記複数の鍋蓋体載置用突起部８に鍋蓋体３の周縁部を載置することによりこの鍋蓋体３の周縁部と鍋本体１の上部開口部との間に前記鍋蓋体浮上空間15と連通する蒸気排出用間隙16が形成されるように構成することとする。
【００３８】
また、前記各トレー体載置用突起部７と前記各トレー体位置止め用突起部12と前記各鍋蓋体載置用突起部８とはそれぞれ直線状に一体連設形成して、前記上段部６の上面から前記下段部５の上面に至る位置まで延設する形状の連設突起部10として設けることとする。
【００３９】
この連設突起部10は、段差部４に所定間隔を置いて複数設ける。具体的には、３以上の連設突起部10を略均等に設けて、各10の突起高さを同じにし、トレー体２と鍋蓋体３とがガタツクことなく載置される構成とする。本実施例では等間隔に４箇所設ける。
【００４０】
また、前記各トレー体載置用突起部7と前記各トレー体位置止め用突起部12と前記各鍋蓋体載置用突起部８とをそれぞれ直線状に一体連設形成する連設突起部10は、鍋本体１の段差部４の外壁を内方向へ向けてプレス加工することにより一体に設ける。
【００４１】
尚、図１中の符号18は、鍋本体１に設けた取手である。
【００４２】
トレー体２は、鍋本体１内に収納配設し得る大きさの容器に構成し、上部周縁部９を鍔状に形成して、この上部周縁部９を前記下段部５のトレー体載置用突起部７に載置し得るように構成している。
【００４３】
具体的には、トレー体２の上部周縁部９の外径寸法を前記段差間周壁11の内径寸法より径小となる構成とする。より具体的には、本実施例では、トレー体２の上部周縁部９の外形寸法をトレー体位置止め用突起部12に当接若しくは近接する寸法とし、単に上部周縁部９をトレー体載置用突起部７に載置するだけで、段差間周壁11と上部周縁部９との間に、トレー体位置止め用突起部12を除いた位置では略等幅の間隙が形成される構成としている。
【００４４】
また、トレー体２の上部周縁部９は外周に向かい下り傾斜する構成としている。
尚、図１中符号19は引っ掛け具を用いて鍋本体１内からトレー体２を取り出すときに使用するフック部である。
【００４５】
また、本実施例の鍋蓋体３は、鍋蓋体載置用突起部８を介して前記上段部６の上面に載置係止し得る外径寸法を有し、中央に向かい上部に突状となる形状且つ蒸気排気孔の無い把手付の透明ガラス蓋を採用している。具体的には、鍋蓋体３の外径寸法を前記上段部６の上方に位置する前記鍋本体１の上部開口部の内径寸法より径小に設定し、トレー体２の上部周縁部９の外径より径大に設定することとして、トレー体２の上部周縁部９と段差間周壁11との蒸気流通間隙14を鍋本体１より外方の位置から覆う構成として、前記蒸気流通間隙14から上方に噴出する蒸気を鍋本体１中央部方向へ（略円筒形を有する鍋本体１の中心軸方向へ）誘導する構成とする。
【００４６】
尚、図１中符号20は鍋蓋体３に設けた取手である。
【００４７】
次に、使用方法について説明する。
【００４８】
例えば、鍋本体１内に所定量の水を入れ、トレー体２の調理物を載置する料理物載置部17に料理物を載置し、このトレー体２の上部周縁部９を下段部５の上面に突設したトレー体載置用突起部７に載置し、鍋蓋体３の周縁部を上段部６の上面に突設した鍋蓋体載置用突起部８に載置して熱する。
【００４９】
本実施例では、トレー体２の上部周縁部９の外形寸法を、トレー体位置止め用突起部12に当接若しくは近接する寸法としたので、トレー体２の上部周縁部９と段差間周壁11との間の蒸気流通間隙14幅をトレー体位置止め用突起部12を除く略全周に渡り略均一の幅を有することとなり、従って、トレー体２の上部周縁部９の略全周から略同量の蒸気が噴出されることとなり、料理物載置部17の周方向により一層満遍なく均一に熱が伝わり、料理物載置部の中心から等距離においた右の料理物にも左の料理物にも満遍なく蒸気が噴き付けられて良好に蒸上がることとなる。
【００５０】
また、本実施例では、下段部５と上段部６とは、外周から内周に向かって下り傾斜の構成とし、鍋本体１外部から鍋本体１内部まではトレー体浮上間隙13、蒸気流通間隙14、鍋蓋体浮上間隙15、蒸気排出用間隙16が一連となる間隙を設け、更にトレー体２の上部周縁部９は外周に向かい下り傾斜する構成としているから、鍋本体１から排出される蒸気が鍋本体１の上部開口部の周縁で冷やされてできたスチーム滴や場合によっては料理汁などは、鍋蓋体３裏面を伝わり、トレー体２内へ流れ込むことなく、前記一連となる間隙を通って鍋本体１内へ流入還元し易くなる。
【００５１】
また、トレー体２の上部周縁部９をトレー体載置用突起部７に載置する際、トレー体２が複数のトレー体位置止め用突起部12によって適正な位置に位置止めされるので、文献２のようにトレー体２が傾いて上部周縁部９がトレー体載置用突起部７の下方に嵌り込み載置に手間取るということが無く、しかも、トレー体２を軽く動かすだけで、トレー体２の外面は曲面で構成された下段部５を滑ることとなり、所定位置に簡単に載置できることとなる。
【００５２】
尚、本発明は、本実施例に限られるものではなく、各構成要件の具体的構成は適宜設計し得るものである。
【図面の簡単な説明】
【００５３】
【図１】本実施例の分解斜視図である。
【図２】本実施例の要部を示す部分拡大断面図である。
【図３】本実施例の要部を示す部分拡大斜視図である。
【図４】本実施例の要部を示す部分拡大端面図である。
【図５】本実施例の要部を示す部分拡大端面図である。
【符号の説明】
【００５４】
１  鍋本体
２  トレー体
３  鍋蓋体
４  段差部
５  下段部
６  上段部
７  トレー体載置用突起部
８  鍋蓋体載置用突起部
９  上部周縁部
10  連設突起部
11  段差間周壁
12  トレー体位置止め用突起部
13  トレー体浮上間隙
14  蒸気流通間隙
15  鍋蓋体浮上間隙
16  蒸気排出用間隙
【図１】
2009254692.tif 000003
【図２】
2009254692.tif 000004
【図３】
2009254692.tif 000005
【図４】
2009254692.tif 000006
【図５】
2009254692.tif 000007